(57)【特許請求の範囲】
【請求項１】
サイドシールと、アッパーシールと、再封用チャックとを備えた包装体であって、
表側フィルム、及び裏側フィルムのアッパーシールの外縁の同一位置にノッチを形成し、
前記表側フィルム、及び前記裏側フィルムの前記ノッチに連続して少なくとも下方に伸びるミシン目を前記表側フィルム、及び前記裏側フィルムに形成し、
アッパーシールの下方であって、かつ再封用チャックの上方の未シール部の表側フィルム、及び裏側フィルムに横方向のミシン目を前記下方に伸びるミシン目の端部と連続するように形成し、前記横方向のミシン目はそれぞれ互いに逆方向に伸びるミシン目であり、
包装体を開封する際にノッチから縦方向、又は傾斜方向に引き裂いた後、横方向のミシン目に沿って横方向の破断が開始され、
開封後のアッパーシールは、左右に分断され、再封用チャックの咬み合わせを外して袋口を開ける際の摘み部として機能することを特徴とする再封用チャック付き包装体。
【請求項２】
サイドシールと、アッパーシールと、再封用チャックとを備えた包装体であって、包装体のフィルムは縦方向の引き裂き性を有し、表側フィルム、及び裏側フィルムのアッパーシールの外縁の同一位置にノッチを形成し、
アッパーシールの下方であって、かつ再封用チャックの上方の未シール部の前記表側フィルム、及び前記裏側フィルムに横方向のミシン目を前記ノッチの縦方向延長領域から形成し、
前記横方向のミシン目はそれぞれ互いに逆方向に伸びるミシン目であり、包装体を開封する際にノッチから縦方向に引き裂いた後、横方向のミシン目に沿って横方向の破断が開始され、開封後のアッパーシールは、左右に分断され、再封用チャックの咬み合わせを外して袋口を開ける際の摘み部として機能することを特徴とする再封用チャック付き包装体。
【請求項３】
前記包装体が四方シール包装体であることを特徴とする請求項１または２に記載の包装体。
【請求項４】
前記少なくとも下方に伸びるミシン目が形成されている近傍に開封時の方向性を視覚的に案内する表示が施されていることを特徴とする請求項１に記載の包装体。
【請求項５】
少なくとも前記ノッチと横方向のミシン目との間であって、前記ノッチの縦方向延長領域の近傍に開封時の方向性を視覚的に案内する表示が施されていることを特徴とする請求項２に記載の包装体。
【請求項６】
前記アッパーシールに吊り下げ用パンチ穴を設け、前記ノッチが縦方向において吊り下げ用パンチ穴と干渉しない位置に形成されていることを特徴とする請求項１〜５のいずれかに記載の包装体。
【発明の詳細な説明】
【技術分野】
【０００１】  本発明は、食品や医薬品等の製品を包装する場合に用いられる再封用チャック付き包装体に関する。
【背景技術】
【０００２】  従来より、内容物を反復して密閉収納したり、取り出したりすることのできる、再封用チャック付き包装体があり、この包装体は、表面部材と裏面部材とが袋状にシールされ、包装体の両側、上部、下部にはサイドシール、アッパーシール、アンダーシールを有しており、包装体の上方には再封用チャックが両サイドシールにわたって設けられている。再封用チャックの上方の未シール部の位置の少なくとも一方のサイドシールの外縁にはノッチが形成してあり、開封の際にはノッチより包装体の幅方向に引き裂き、袋上部を取り除いて開封を行う。【０００３】  開封後に再封用チャックの咬み合わせを外して袋口を開ける際には、前後のフィルム上端が一致している為、前後のフィルムを左右の指で摘んで開封するのが困難である。そこで特許文献１にある包装体では、表側フィルムと裏側フィルムのサイドシール部の未シール部に設けたノッチが相対的な高低差のある段違い状に形成することによって、開封したときに一対の段違い細幅片が袋上部に生じるようにして、開封後に袋口を開けるために両細幅片を掴みやすくしている。
【先行技術文献】
【０００４】
【特許文献】
【特許文献１】特許第３６００４４２号
【発明の概要】
【発明が解決しようとする課題】
【０００５】  しかしながら、特許文献１にある包装体は、開封後に再封用チャックの咬み合わせを外して袋口を開ける際において摘む部分が狭いために摘み難く、力が入れずらいので開封に手間取ってしまうという問題がある。この問題を改善する方法としては段違い状の長さを長くすることにより改善されるが、そのためには余計にフィルムを使用しなくてはならないのである。【０００６】  よって本発明の目的としては、開封後に再封用チャックの咬み合わせを外して袋口を容易に開けることのできる再封用チャック付き包装体を提供することにある。
【課題を解決するための手段】
【０００７】  本発明の請求項１に係る再封用チャック付き包装体は所期の目的を達成するために下記の問題解決手段を特徴とする。すなわち請求項１に記載の再封用チャック付き包装体は、サイドシールと、アッパーシールと、再封用チャックとを備えた包装体であって、表側フィルム、及び裏側フィルムのアッパーシールの外縁の同一位置にノッチを形成し、前記表側フィルム、及び前記裏側フィルムの前記ノッチと対応する位置から少なくとも下方に伸びるミシン目を前記表側フィルム、及び前記裏側フィルムの同一位置に形成し、アッパーシールの下方であって、かつ再封用チャックの上方の未シール部の表側フィルム、及び裏側フィルムに横方向のミシン目を前記下方に伸びるミシン目の端部と交差するように形成し、前記横方向のミシン目は反対側のフィルムと逆方向に伸びるミシン目であり、包装体を開封する際にノッチから縦方向、又は傾斜方向に引き裂いた後、横方向のミシン目に沿って横方向の破断が開始され、開封後のアッパーシールは、左右に分断され、再封用チャックの咬み合わせを外して袋口を開ける際の摘み部として機能することを特徴とする。【０００８】  本発明の請求項２に記載の再封用チャック付き包装体は、サイドシールと、アッパーシールと、再封用チャックとを備えた包装体であって、包装体のフィルムは縦方向の引き裂き性を有し、表側フィルム、及び裏側フィルムのアッパーシールの外縁の同一位置にノッチを形成し、アッパーシールの下方であって、かつ再封用チャックの上方の未シール部の前記表側フィルム、及び前記裏側フィルムに横方向のミシン目を前記ノッチの垂直方向線上の位置から形成し、前記横方向のミシン目は反対側のフィルムと逆方向に伸びるミシン目であり、包装体を開封する際にノッチから縦方向に引き裂いた後、横方向のミシン目に沿って横方向の破断が開始され、開封後のアッパーシールは、左右に分断され、再封用チャックの咬み合わせを外して袋口を開ける際の摘み部として機能することを特徴とする。【０００９】  本発明の請求項３に記載の再封用チャック付き包装体は、請求項１、及び請求項２に記載の再封用チャック付き包装体が四方シール包装体であることを特徴とする。【００１０】  本発明の請求項４に記載の再封用チャック付き包装体は、請求項１に記載の再封用チャック付き包装体の縦方向のミシン目が形成されている近傍に開封時の方向性を視覚的に案内する表示が施されていることを特徴とする。【００１１】  本発明の請求項５に記載の再封用チャック付き包装体は、請求項２に記載の再封用チャック付き包装体の少なくともノッチと横方向のミシン目との間であって、ノッチの縦方向延長領域の近傍に開封時の方向性を視覚的に案内する表示が施されていることを特徴とする。【００１２】  本発明の請求項６に記載の再封用チャック付き包装体は、アッパーシールに吊り下げ用パンチ穴を形成し、ノッチが垂直方向において吊り下げ用パンチ穴と干渉しない位置に形成されていることを特徴とする。
【発明の効果】
【００１３】  本発明に係る再封用チャック付き包装体は、従来の再封用チャック付き包装体に比べて摘み部が大きくて摘み易いので、容易にチャックの咬み合いを外して袋口を開けることができる。
【図面の簡単な説明】
【００１４】
【図１】本発明の第１実施形態による再封用チャック付き包装体の正面図
【図２】本発明の第１実施形態による再封用チャック付き包装体を開封したところの斜視図
【図３】本発明の第２実施形態による再封用チャック付き包装体の正面図
【図４】本発明の第３実施形態、第４実施形態による再封用チャック付き包装体の正面図
【図５】本発明の第５実施形態による再封用チャック付き包装体の正面図
【発明を実施するための形態】
【００１５】（第１実施形態）
以下に、本発明に係る再封用チャック付き包装体について、その好ましい実施の形態を添付図面を参照して記述する。
図１は本発明の請求項１に係る再封用チャック付き包装体の実施形態を例示している。再封用チャック付き包装体１１ａは表面部材１２ａ、裏面部材１２ｂとが周知手段によって袋状にシールされており、再封用チャック付き包装体１１ａには、両側部にサイドシール１３ａ、１３ｂ、上部にアッパーシール１４ａ、下部にアンダーシール１４ｂを有しており、再封用チャック付き包装体１１ａの上部のアッパーシール１４ａの下方に、サイドシール１３ａ、１３ｂにわたって再封用チャック１５が設けてある。
【００１６】  包装体のフィルムは、複合フィルムであって、熱溶着性のあるプラスチックフィルムが、その溶着面を内側にされて使用されていれば良く、外層または中間層は、紙層やアルミ層であっても良い。
【００１７】  表面部材１２ａと裏面部材１２ｂのアッパーシール１４ａの外縁の中央部分の同一位置に、ノッチ１７を形成し、表面部材１２ａと裏面部材１２ｂにノッチ１７に対応する位置から少なくとも下方に延びる縦方向のミシン目１８ａ、１８ｂを形成し、アッパーシールの下方であって、かつ再封用チャックの上方の未シール部分の表側フィルム、及び裏側フィルムに横方向のミシン目１９ａ、１９ｂを縦方向のミシン目１８ａ、１８ｂの端部と交差するように形成する。前記横方向のミシン目１９ａ、１９ｂは、反対側のフィルムと逆方向に伸びるように形成する。実施例では、ノッチ１５をＶノッチとしたが、これに限らず、Ｉノッチであっても良い。また、実施例の縦方向のミシン目１８ａ、１８ｂを垂直方向に略同一位置に形成したが、同一方向に傾斜させた縦方向のミシン目１８ａ、１８ｂであっても良く、また、反対側のフィルムとは逆方向に傾斜させた縦方向のミシン目１８ａ、１８ｂであっても良い。
【００１８】  請求項１に係る再封用チャック付き包装体１１ａを開封する方法は、まずノッチ１７から縦方向のミシン目１８ａ、１８ｂに沿って破断していく。縦方向のミシン目１８ａ、１８ｂの終点、及び横方向のミシン目１９ａ、１９ｂと交差部まで破断が進行すると、今度は横方向のミシン目１９ａ、１９ｂに沿って破断が進行していく。ここで横方向のミシン目１９ａ、１９ｂは、反対側のフィルムと逆方向に伸びるように形成されているので、表面部材１２ａに形成された横方向のミシン目１９ａに沿って進行する破断と、裏面部材１２ｂに形成された横方向のミシン目１９ｂに沿って進行する破断は、互いに反対方向に進行していく。前記破断が進行し、十分な開口が得られたならば包装体から内容物を取り出すことができる。そして、開封後はアッパーシール１４ａは左右に分断され、再封用チャック１５の咬み合わせを外して袋口を開ける際の摘み部２０ａ、２０ｂとして機能する。従来の再封用チャック付き包装体では開封時に取り除かれていた部分が、本発明の包装体では摘み部２０ａ、２０ｂとなるので、従来の包装体と比べて摘み部分が大きく摘み易いので容易に袋口を開けることができる。
【００１９】  縦方向のミシン目１８ａ、１８ｂ、及び横方向のミシン目１９ａ、１９ｂは貫通していないため包装体は密封が保たれる。
【００２０】  横方向のミシン目１９ａ、１９ｂは、縦方向のミシン目１８ａ、１８ｂを越えて形成しない。これは開封、及び再封用チャックの咬み合いを外して袋口を開ける際、摘み部２０ａ、２０ｂには横方向の力が働く。縦方向のミシン目１８ａ、１８ｂを越えて横方向ミシン目１９ａ、１９ｂを形成した場合、縦方向のミシン目１８ａ、１８ｂを越えた横方向ミシン目１９ａ、１９ｂの端部を基点にして横方向に破断が進行し、摘み部２０ａ、２０ｂが切断されてしまうのを防止するためである。
【００２１】  横方向のミシン目１９ａは、サイドシール１３ａまで、及び横方向のミシン目１９ｂはサイドシール１３ｂに達するまで形成すると良い。開封の際に曲がって破断してしまった場合、摘み部２０ａ、２０ｂが切断されてしまうという問題を防止することができる。
【００２２】  また、前記横方向のミシン目１９ａ、１９ｂをサイドシール１３ａ、１３ｂまで形成する代わりに横方向に易引き裂き性を有するフィルムを使用することでも、開封時に摘み部２０ａ、２０ｂが切断されてしまうという問題を解決することができる。
【００２３】  横方向のミシン目１９ａ、１９ｂは、再封用チャック１５の上方直近に設けると良い。包装体を開封する際に縦方向に引き裂き、破断が再封用チャック１５まで進行すると破断は再封用チャック１５で停止した後、横方向のミシン目１９ａ、１９ｂに沿って横方向の破断が開始され、横方向への引き裂きをスムーズに行うことができる。横方向のミシン目１９ａ、１９ｂと再封用チャック１５とがある程度（例えば、１０ｍｍ程度）離れて形成された場合、縦方向の引き裂きから、横方向の引き裂きに移行する事ができず、スムーズに横方向に引き裂くことができないという問題が起こりうるのである。
【００２４】  また、縦方向のミシン目の端部と横方向のミシン目の端部とを直角に連結させるのではなく、曲線で連結するようにすると良い。再封用チャックの咬み合いを外して袋口を開封の際に摘み部２０ａ、２０ｂの根元の角部に応力が集中して摘み部２０ａ、２０ｂが切断されてしまうのを防止することができる。
【００２５】（第２実施形態）
図３は請求項２に係る再封用チャック付き包装体１１ｂの実施形態を例示している。請求項２に係る再封用チャック付き包装体１１ｂは、請求項１に係る包装体の表側フィルム、及び裏側フィルムに縦方向のミシン目１８ａ、１８ｂを形成する代わりに、縦方向に引き裂き性のある一軸延伸性フィルムを使用し、再封用チャック１５の上方の未シール部１６であって包装体の表側フィルム、及び裏側に横方向のミシン目１９ａ、１９ｂをノッチの垂直方向線上の位置から形成し、横方向のミシン目１９ａ、１９ｂは反対側のフィルムとが逆方向ｂに伸びるように形成されている。
【００２６】  請求項２に係る再封用チャック付き包装体１１ｂをノッチ１７から開封した場合、縦方向に引き裂き性のある一軸延伸性フィルムを使用しているため、縦方向のミシン目１８ａ、１８ｂが無くても垂直方向にフィルムを直線的に破断することができ、その垂直方向線上には横方向のミシン目１９ａ、１９ｂの破断が開始される。
【００２７】（第３実施形態、第４実施形態）
図４は請求項４、及び請求項５に係る再封用チャック付き包装体１１ｃ、１１ｄの実施形態を例示している。本発明に係る再封用チャック付き包装体１１ｃ、１１ｄには開封、及び再封用チャックの咬み合わせを外して袋口を開ける場合において方向性を有する。すなわち、横方向のミシン目１９ａ、１９ｂの形成の仕方によって開封方法が異なる。具体的には、本発明に係る包装体の右側に位置する摘み部２０ａを右手で摘んで手前側に引き、かつ本発明に係る包装体の左側に位置する摘み部２０ｂを左手で摘んで奥側に押し、左右の摘み部２０ａ、２０ｂを相対的に離反させる事によって開封を行う場合と、前記操作とは反対に本発明に係る包装体の右側に位置する摘み部２０ａを右手で摘んで奥側に押し、かつ本発明に係る包装体の左側に位置する摘み部２０ｂを左手で摘んで手前側に引き、左右の摘み部２０ａ、２０ｂを相対的に離反させる事によって開封を行う場合とがある。従って使用者は開封を行う際にどちらの方法で開封を行うのかを事前に知っておかなくてはならない。そこで使用者が本発明の包装体を開封する際に迷わないように本発明の包装体１１ｃ、１１ｄには、包装体の開封方向を示す表示２１が施されている。表示２１は、使用者が本発明の包装体の開封の方向性が一目で分かるものであれば、デザインについてはこれに限らない。または、図４には図示されていないが開封方法を説明する表示を行っても良い。なお、図４では、縦方向のミシン目１８ａ、１８ｂ、横方向のミシン目１９ａ、１９ｂは省略してある。
【００２８】（第５実施形態）
図５は請求項６に係る再封用チャック付き包装体１１ｅの実施形態を例示している。請求項６に係る再封用チャック付き包装体は、請求項１、請求項２、請求項３、請求項４、または請求項５に記載の本発明に係る再封用チャック付き包装体１１ｅのアッパーシール１４ａに吊り下げ用パンチ穴２２を設け、巾方向において前記吊り下げ用パンチ穴２２と干渉しない位置にノッチ１７を形成している。請求項５に係る再封用チャック付き包装体１１ｅは、店頭において吊り下げられて陳列して販売することができ、包装体を開封後においても吊り下げ用パンチ穴２２を含むアッパーシール１４ａが残っているので、包装体を吊り下げて保存することが可能であるという新たな効果を有している。
【００２９】  なお、第４実施形態の実施例では吊り下げ用パンチ穴２２を抜き穴としたが、これに限らずパンチ穴の一部が繋がった馬蹄形状であっても良い。
【００３０】（その他の実施形態）
実施例では、本発明に係る再封用チャック付き包装体１１ａ、１１ｂ、１１ｃ、１１ｄ、１１ｅを四方シール包装体とて説明したが、これに限らず、底部に内側に折り込まれた底部折込部を有し、天部側内面に開口部に再封用チャックを設け、両側端部と前記底部とを熱接着し、前記底部折込部を開く事により自立するように構成した再封用チャック付きスタンディングパウチであっても良い。
【００３１】  また、実施例では、本発明に係る再封用チャック付き包装体１１ａ、１１ｂ、１１ｃ、１１ｄ、１１ｅを縦方向の寸法が長い形状の包装形態としたが、これに限らず横方向の寸法が長い包装形態であっても、もちろん良い。
【符号の説明】
【００３２】１１ａ、１１ｂ、１１ｃ、１１ｄ、１１ｅ  再封用チャック付き包装体
１２ａ  表面部材
１２ｂ  裏面部材
１３ａ、１３ｂ  サイドシール
１４ａ  アッパーシール
１４ｂ  アンダーシール
１５  再封用チャック
１６  未シール部
１７  ノッチ
１８ａ、１８ｂ  縦方向のミシン目
１９ａ、１９ｂ  横方向のミシン目
２０ａ、２０ｂ  摘み部
２１  表示
２２  吊り下げ用パンチ穴
【図１】
0005605564.tif 000002
【図２】
0005605564.tif 000003
【図３】
0005605564.tif 000004
【図４】
0005605564.tif 000005
【図５】
0005605564.tif 000006